【事件の表示】
　特許第２９５１３１１号「移動通信ダイナミックセキュアグルーピング通信方式」の請求項１乃至５に係る特許に対する特許異議の申立てについて、次のとおり決定する。
【結　論】
　訂正を認める。
　特許第２９５１３１１号の請求項１ないし５に係る特許を維持する。
【理　由】
　（１）手続の経緯
　特許第２９５１３１１号に係る発明についての出願は、平成１０年３月１２日に特許出願され、平成１１年７月９日にその発明について特許の設定登録がなされ、その後、その特許について、特許異議申立人エヌ・ティ・ティ移動通信網株式会社により特許異議の申立てがなされ、取消理由通知がなされ、その指定期間内である平成１２年８月１日に訂正請求がなされたものである。
　（２）訂正の適否についての判断
　ア．訂正の内容
　　特許権者がもとめている訂正の内容は、以下のとおりである。
　ａ.特許請求の範囲に記載される
　「［請求項１］複数の通信端末からなる移動通信ダイナミックセキュアグルーピング通信方式において、各通信端末は、送信メッセージを所定の長さのメッセージ単位に区切る手段と、前記メッセージ単位ごとに共通暗号鍵で暗号化する手段と、送信ごとにグループを構成する送信先端末を指定して前記共通暗号鍵を送信先通信端末対応の個別暗号化鍵で暗号化する手段と、1つの暗号化メッセージ単位と前記個別暗号化鍵で暗号化した複数の共通暗号鍵とを組にして複数の通信端末からなるグループに同報通信を行なう手段と、前記共通暗号鍵を1つの暗号化メッセージ単位の送信ごとに更新する手段とを具備し、複数の通信端末が送信ごとに送信先端末を指定して相互に送信受信を行うことでグループを形成することを特徴とする移動通信ダイナミックセキュアグルーピング通信方式。
　［請求項２］前記個別暗号化鍵として公開鍵方式の公開鍵を用いることを特徴とする請求項1記載の移動通信ダイナミックセキュアグループ通信方式。
　［請求項３］前記通信端末と無線により結ばれる無線基地局と、前記通信端末に送られる暗号化メッセージ単位と前記個別暗号化鍵で暗号化した共通暗号鍵を一時記憶する移動端末代理局と、前記無線基地局と前記移動端末代理局とに接続され前記無線基地局と前記通信端末と前記移動端末代理局を制御する制御局とを有することを特徴とする請求項1記載の移動通信ダイナミックセキュアグループ通信方式。
　［請求項４］共通暗号鍵を発生する手段と、送信メッセージを所定の長さのメッセージ単位に区切る手段と、前記メッセージ単位ごとに前記共通暗号鍵で暗号化する手段と、前記共通暗号鍵を送信先通信端末対応の個別暗号化鍵で暗号化する手段と、送信ごとにグループを構成する送信先端末を指定して前記共通暗号鍵を送信先通信端末対応の個別暗号化鍵で暗号化する手段と、1つの暗号化メッセージ単位と暗号化した複数の共通暗号鍵とを組にして複数の通信端末からなるグループに同報通信を行なう手段と、受信した暗号化された共通暗号鍵を復号して前記暗号化メッセージ単位を復号する手段と、前記共通暗号鍵を1つの暗号化メッセージ単位の送信ごとに更新する手段とを具備し、複数の通信端末が送信ごとに送信先端末を指定して相互に送信受信を行うことでグループを形成することを特徴とする移動無線端末。
　［請求項５］受信したメッセージを端末個有の暗号鍵で暗号化して格納する暗号フォルダーを有することを特徴とする請求項4記載の移動無線端末。」を、
　「［請求項１］複数の通信端末からなる移動通信ダイナミックセキュアグルーピング通信方式において、各通信端末は、送信メッセージを所定の長さのメッセージ単位に区切る手段と、前記メッセージ単位ごとに共通鍵で暗号化する手段と、送信ごとにグループを構成する送信先端末を指定して前記共通鍵を送信先通信端末対応の個別暗号化鍵で暗号化する手段と、1つの暗号化メッセージ単位と前記個別暗号化鍵で暗号化された複数の共通暗号鍵とを組にして複数の通信端末からなるグループに同報通信を行なう手段と、前記共通鍵を1つの暗号化メッセージ単位の送信ごとに更新する手段とを具備し、複数の通信端末が送信ごとに送信先端末を指定して相互に送信受信を行うことでグループを形成することを特徴とする移動通信ダイナミックセキュアグルーピング通信方式。
　［請求項２］前記個別暗号化鍵として公開鍵方式の公開鍵を用いることを特徴とする請求項1記載の移動通信ダイナミックセキュアグループ通信方式。
　［請求項３］前記通信端末と無線により結ばれる無線基地局と、前記通信端末に送られる暗号化メッセージ単位と前記個別暗号化鍵で暗号化された共通暗号鍵を一時記憶する移動端末代理局と、前記無線基地局と前記移動端末代理局とに接続され前記無線基地局と前記通信端末と前記移動端末代理局を制御する制御局とを有することを特徴とする請求項1記載の移動通信ダイナミックセキュアグループ通信方式。
　［請求項４］共通鍵を発生する手段と、送信メッセージを所定の長さのメッセージ単位に区切る手段と、前記メッセージ単位ごとに前記共通鍵で暗号化する手段と、前記共通鍵を送信先通信端末対応の個別暗号化鍵で暗号化する手段と、送信ごとにグループを構成する送信先端末を指定して前記共通鍵を送信先通信端末対応の個別暗号化鍵で暗号化する手段と、1つの暗号化メッセージ単位と暗号化された複数の共通暗号鍵とを組にして複数の通信端末からなるグループに同報通信を行なう手段と、受信した暗号化された共通暗号鍵を復号して前記暗号化メッセージ単位を復号する手段と、前記共通鍵を1つの暗号化メッセージ単位の送信ごとに更新する手段とを具備し、複数の通信端末が送信ごとに送信先端末を指定して相互に送信受信を行うことでグループを形成することを特徴とする移動無線端末。
　［請求項５］受信したメッセージを端末個有の暗号鍵で暗号化して格納する暗号フォルダーを有することを特徴とする請求項4記載の移動無線端末。」に訂正する。
　ｂ.発明の詳細な説明中の
　「［０００３］
　【発明が解決しようとする課題】
　このように、グループを構成する端末が増えると、グループ鍵の数は、構成端末の増加よりもはるかに激しく増加する。そして、この多くの鍵がグループを構成するグループ以外へ漏れることがないように管理することが必要である。同一の鍵を持った端末が複数台あるので、どれか1台からでも鍵の秘密が漏れると、そのグループの全ての端末に影響を与える。したがって、一対一の通信の場合より鍵の管理が重要になる。共通暗号鍵を使用した場合には、配送途中で鍵を盗まれるという危険があるので、鍵の配送にも注意する必要がある。」を、
　「［０００３］
　【発明が解決しようとする課題】
　このように、グループを構成する端末が増えると、グループ鍵の数は、構成端末の増加よりもはるかに激しく増加する。そして、この多くの鍵がグループを構成するグループ以外へ漏れることがないように管理することが必要である。同一の鍵を持った端末が複数台あるので、どれか1台からでも鍵の秘密が漏れると、そのグループの全ての端末に影響を与える。したがって、一対一の通信の場合より鍵の管理が重要になる。共通鍵を使用した場合には、配送途中で鍵を盗まれるという危険があるので、鍵の配送にも注意する必要がある。」に訂正する。
　ｃ.発明の詳細な説明中の
　「［０００６］
　【課題を解決するための手段】
　上記の課題を解決するために、本発明では、ダイナミックセキュアグルーピング通信方式を、グループの各受信端末に送信するメッセージを送信単位に分割して、送信単位ごとに送信内容を共通暗号鍵により暗号化し、共通暗号鍵を各受信端末の公開暗号方式の暗号化鍵で暗号化し、暗号化された1送信単位のメッセージとグループの各受信者の暗号化鍵で暗号化した共通暗号鍵を組にして同報送信する構成とした。」を、
　「［０００６］
　【課題を解決するための手段】
　上記の課題を解決するために、本発明では、ダイナミックセキュアグルーピング通信方式を、グループの各受信端末に送信するメッセージを送信単位に分割して、送信単位ごとに送信内容を共通鍵により暗号化し、共通鍵を各受信端末の公開暗号方式の暗号化鍵で暗号化し、暗号化された1送信単位のメッセージとグループの各受信者の暗号化鍵で暗号化された共通暗号鍵を組にして同報送信する構成とした。」に訂正する。
　ｄ.発明の詳細な説明中の
　「［０００７］
　このように構成したことにより、動的に変化する複数の移動通信端末のグループに対する通信のセキュリティを、送信単位ごとに異なる共通暗号鍵と、端末対応の公開暗号化鍵とによって確保することができる。」を、
　「［０００７］
　このように構成したことにより、動的に変化する複数の移動通信端末のグループに対する通信のセキュリティを、送信単位ごとに異なる共通鍵と、端末対応の公開暗号化鍵とによって確保することができる。なお、グループの共通鍵と区別するために、グループの各受信者の暗号化鍵で暗号化された共通鍵を共通暗号鍵と呼ぶ。」に訂正する。
　ｅ.発明の詳細な説明中の
　「［０００８］
　【発明の実施の形態】
　本発明の請求項1記載の発明は、複数の通信端末からなる移動通信ダイナミックセキュアグルーピング通信方式において、各通信端末は、送信メッセージを所定の長さのメッセージ単位に区切る手段と、前記メッセージ単位ごとに共通暗号鍵で暗号化する手段と、送信ごとにグループを構成する送信先端末を指定して前記共通暗号鍵を送信先通信端末対応の個別暗号化鍵で暗号化する手段と、1つの暗号化メッセージ単位と前記個別暗号化鍵で暗号化した複数の共通暗号鍵とを組にして複数の通信端末からなるグループに同報通信を行なう手段と、前記共通暗号鍵を1つの暗号化メッセージ単位の送信ごとに更新する手段とを具備し、複数の通信端末が送信ごとに送信先端末を指定して相互に送信受信を行うことでグループを形成する移動通信ダイナミックセキュアグルービング通信方式であり、共通暗号鍵をグループの各通信端末対応の個別暗号化鍵で暗号化することにより、グループの通信端末を特定して通信の秘密を確保するとともに、暗号解読を困難にするという作用を有する。」を、
　「［０００８］
　【発明の実施の形態】
　本発明の請求項1記載の発明は、複数の通信端末からなる移動通信ダイナミックセキュアグルーピング通信方式において、各通信端末は、送信メッセージを所定の長さのメッセージ単位に区切る手段と、前記メッセージ単位ごとに共通鍵で暗号化する手段と、送信ごとにグループを構成する送信先端末を指定して前記共通鍵を送信先通信端末対応の個別暗号化鍵で暗号化する手段と、1つの暗号化メッセージ単位と前記個別暗号化鍵で暗号化された複数の共通暗号鍵とを組にして複数の通信端末からなるグループに同報通信を行なう手段と、前記共通鍵を1つの暗号化メッセージ単位の送信ごとに更新する手段とを具備し、複数の通信端末が送信ごとに送信先端末を指定して相互に送信受信を行うことでグループを形成する移動通信ダイナミックセキュアグルーピング通信方式であり、共通鍵をグループの各通信端末対応の個別暗号化鍵で暗号化することにより、グループの通信端末を特定して通信の秘密を確保するとともに、暗号解読を困難にするという作用を有する。」に訂正する。
　ｆ.発明の詳細な説明中の
　「［００１０］
　本発明の請求項3記載の発明は、請求項1記載の移動通信ダイナミックセキュアグループ通信方式において、前記通信端末と無線により結ばれる無線基地局と、前記通信端末に送られる暗号化メッセージ単位と前記個別暗号化鍵で暗号化した共通暗号鍵を一時記憶する移動端末代理局と、前記無線基地局と前記移動端末代理局とに接続され前記無線基地局と前記通信端末と前記移動端末代理局を制御する制御局とを有するものであり、受信端末の一時的な受信エラーを移動端末代理局により回復するという作用を有する。」を、
　「［００１０］
　本発明の請求項3記載の発明は、請求項1記載の移動通信ダイナミックセキュアグループ通信方式において、前記通信端末と無線により結ばれる無線基地局と、前記通信端末に送られる暗号化メッセージ単位と前記個別暗号化鍵で暗号化された共通暗号鍵を一時記憶する移動端末代理局と、前記無線基地局と前記移動端末代理局とに接続され前記無線基地局と前記通信端末と前記移動端末代理局を制御する制御局とを有するものであり、受信端末の一時的な受信エラーを移動端末代理局により回復するという作用を有する。」に訂正する。
　ｇ.発明の詳細な説明中の
　「［００１１］
　本発明の請求項4記載の発明は、共通暗号鍵を発生する手段と、送信メッセージを所定の長さのメッセージ単位に区切る手段と、前記メッセージ単位ごとに前記共通暗号鍵で暗号化する手段と、送信ごとにグループを構成する送信先端末を指定して前記共通暗号鍵を送信先通信端末対応の個別暗号化鍵で暗号化する手段と、1つの暗号化メッセージ単位と暗号化した複数の共通暗号鍵とを組にして複数の通信端末からなるグループに同報通信を行なう手段と、受信した暗号化された共通暗号鍵を復号して前記暗号化メッセージ単位を復号する手段と、前記共通暗号鍵を1つの暗号化メッセージ単位の送信ごとに更新する手段とを具備し、複数の通信端末が送信ごとに送信先端末を指定して相互に送信受信を行うことでグループを形成する移動無線端末であり、共通暗号鍵をグループの各通信端末対応の個別暗号化鍵で暗号化することにより、送信端末でグループの通信端末を特定してグループ通信の秘密を確保するとともに、暗号解読を困難にするという作用を有する。」を、
　「［００１１］
　本発明の請求項4記載の発明は、共通鍵を発生する手段と、送信メッセージを所定の長さのメッセージ単位に区切る手段と、前記メッセージ単位ごとに前記共通鍵で暗号化する手段と、送信ごとにグループを構成する送信先端末を指定して前記共通鍵を送信先通信端末対応の個別暗号化鍵で暗号化する手段と、1つの暗号化メッセージ単位と暗号化された複数の共通暗号鍵とを組にして複数の通信端末からなるグループに同報通信を行なう手段と、受信した暗号化された共通暗号鍵を復号して前記暗号化メッセージ単位を復号する手段と、前記共通鍵を1つの暗号化メッセージ単位の送信ごとに更新する手段とを具備し、複数の通信端末が送信ごとに送信先端末を指定して相互に送信受信を行うことでグループを形成する移動無線端末であり、共通鍵をグループの各通信端末対応の個別暗号化鍵で暗号化することにより、送信端末でグループの通信端末を特定してグループ通信の秘密を確保するとともに、暗号解読を困難にするという作用を有する。」に訂正する。
　ｈ.発明の詳細な説明中の
　「［００１４］
　(実施の形態1)
　本発明の第1の実施の形態は、メッセージを送信単位に分割して、送信単位ごとに異なる共通暗号鍵により暗号化し、共通暗号鍵を受信端末ごとの公開暗号化鍵で暗号化し、暗号化された送信単位のメッセージと複数の暗号化共通暗号鍵を組にして受信端末に同報送信する移動通信ダイナミックセキュアグルーピング通信方式である。」を、
　「［００１４］
　(実施の形態1)
　本発明の第1の実施の形態は、メッセージを送信単位に分割して、送信単位ごとに異なる共通鍵により暗号化し、共通鍵を受信端末ごとの公開暗号化鍵で暗号化し、暗号化された送信単位のメッセージと複数の共通暗号鍵を組にして受信端末に同報送信する移動通信ダイナミックセキュアグルーピング通信方式である。」に訂正する。
　ｉ.発明の詳細な説明中の
　「［００１６］
　多くの通信端末でグループを作って通信を行なうグループ通信であっても、短い時間で通信形態を見れば、1つの送信端末と複数の受信端末でグループが形成されている。したがって、グループ通信のメッセージを送信単位ごとに共通暗号鍵により暗号化し、共通暗号鍵をグループの各受信端末の公開暗号鍵で暗号化し、暗号化された送信メッセージと共に受信端末に送信することにより、グループを構成する端末を特定して、秘密のグループ通信を行なうことができる。」を、
　「［００１６］
　多くの通信端末でグループを作って通信を行なうグループ通信であっても、短い時間で通信形態を見れば、1つの送信端末と複数の受信端末でグループが形成されている。したがって、グループ通信のメッセージを送信単位ごとに共通鍵により暗号化し、共通鍵をグループの各受信端末の公開暗号鍵で暗号化し、暗号化された送信メッセージと共に受信端末に送信することにより、グループを構成する端末を特定して、秘密のグループ通信を行なうことができる。」に訂正する。
　ｊ.発明の詳細な説明中の
　「［００２２］
　次に、共通暗号鍵Ｃｋを生成する。この共通暗号鍵は公開鍵とは異なって、暗号化鍵と復号化鍵が共通である。この共通暗号鍵は、メッセージの送信ごとに異なる鍵が生成され使用される。この鍵は、送信と受信が終了するまで秘密に保つ必要がある。一般に、公開暗号鍵はビット長が長く計算も複雑であるため、その処理に時間がかかる。それに反して、共通暗号鍵はビット長が短く、処理に時間がかからない。ここまでの3ステップは、どの順番に行なってもかまわない。」を、
　「［００２２］
　次に、共通鍵Ｃｋを生成する。この共通鍵は公開鍵とは異なって、暗号化鍵と復号化鍵が共通である。この共通鍵は、メッセージの送信ごとに異なる鍵が生成され使用される。この鍵は、送信と受信が終了するまで秘密に保つ必要がある。一般に、公開暗号鍵はビット長が長く計算も複雑であるため、その処理に時間がかかる。それに反して、共通鍵はビット長が短く、処理に時間がかからない。ここまでの3ステップは、どの順番に行なってもかまわない。」に訂正する。
　ｋ.発明の詳細な説明中の
　「［００２３］
　これらの準備が出来たところで、まず、メッセージＭを共通暗号鍵Ｃｋで暗号化し、Ｍ'とする。共通暗号鍵ＣｋでメッセージをＭ'にするのは時間がかからない。次に、共通暗号鍵Ｃｋを受信端末の暗号化鍵Ａｅ、Ｃｅで暗号化する。共通暗号鍵が短いので、公開暗号化鍵による暗号化には時間を要しない。このようにして、送信端末Ａは、共通暗号鍵Ｃｋで暗号化されたメッセージＭ'に、公開暗号鍵の暗号化鍵で暗号化した共通暗号鍵Ｃｋ'を添付して、受信端末Ｂ、Ｃに送る。この送信信号のフォーマットを図6に示す。これらは送られる途中で解読されることはない。」を、
　「［００２３］
　これらの準備が出来たところで、まず、メッセージＭを共通鍵Ｃｋで暗号化し、Ｍ'とする。共通鍵ＣｋでメッセージをＭ'にするのは時間がかからない。次に、共通鍵Ｃｋを受信端末の暗号化鍵Ａｅ、Ｃｅで暗号化する。共通鍵が短いので、公開暗号化鍵による暗号化には時間を要しない。このようにして、送信端末Ａは、共通鍵Ｃｋで暗号化されたメッセージＭ'に、公開暗号鍵の暗号化鍵で暗号化された共通暗号鍵Ｃｋ'を添付して、受信端末Ｂ、Ｃに送る。この送信信号のフォーマットを図6に示す。これらは送られる途中で解読されることはない。」に訂正する。
　1.発明の詳細な説明中の
　「［００２４］
　受信端末Ｂ、Ｃは、送信端末Ａが送った信号を受信すると、まず、暗号化された共通暗号鍵Ｃｋ'を公開暗号鍵の復号化鍵で復号する。端末Ｂの場合ではＢｄで、端末Ｃの場合はＣｅで、Ｃｋ'を復号する。復号された共通暗号鍵Ｃｋを使って、共通暗号鍵で暗号化されたメッセージＭ'を復号し、Ｍを得る。復号されたメッセージＭは、直ちに、受信端末に設けられた暗号化ファイルに収納される。暗号化ファイルは、受信端末のメモリにソフト的に設けられたファイルで、端末個有の共通鍵あるいは公開暗号鍵で暗号化されたファイルである。共通暗号鍵の場合は送受信に使用される鍵と別のものであるが、公開暗号鍵の場合は、復号鍵と同一の場合もある。メッセージが暗号化ファイルに収納されると、送受信に使用された共通暗号鍵は廃棄される。共通暗号鍵は1回に送られるメッセージごとに更新され、古い鍵は廃棄される。」を、
　「［００２４］
　受信端末Ｂ、Ｃは、送信端末Ａが送った信号を受信すると、まず、暗号化された共通暗号鍵Ｃｋ'を公開暗号鍵の復号化鍵で復号する。端末Ｂの場合ではＢｄで、端末Ｃの場合はＣｅで、Ｃｋ'を復号する。復号された共通鍵Ｃｋを使って、共通鍵で暗号化されたメッセージＭ'を復号し、Ｍを得る。復号されたメッセージＭは、直ちに、受信端末に設けられた暗号化ファイルに収納される。暗号化ファイルは、受信端末のメモリにソフト的に設けられたファイルで、端末個有の共通鍵あるいは公開暗号鍵で暗号化されたファイルである。共通鍵の場合は送受信に使用される鍵と別のものであるが、公開暗号鍵の場合は、復号鍵と同一の場合もある。メッセージが暗号化ファイルに収納されると、送受信に使用された共通鍵は廃棄される。共通鍵は1回に送られるメッセージごとに更新され、古い鍵は廃棄される。」に訂正する。
　ｍ.発明の詳細な説明中の
　「［００２６］
　抜けた端末は、共通暗号鍵を復号することができないので、メッセージを復号できない。共通暗号鍵は、送信単位ごとに変わるので、以前の共通暗号鍵で復号することもできない。グループに入っていない端末にとっても同様であり、通信を傍受しても、共通暗号鍵を求めるのは、ＲＳＡ暗号を破るのと同じだけ困難であるから、通常は不可能である。また、多くのメッセージの通信を傍受して、統計などから共通暗号鍵を推定することも、共通暗号鍵が送信ごとに異なるために不可能である。」を、
　「［００２６］
　抜けた端末は、共通暗号鍵を復号することができないので、メッセージを復号できない。共通鍵は、送信単位ごとに変わるので、以前の共通鍵で復号することもできない。グループに入っていない端末にとっても同様であり、通信を傍受しても、共通鍵を求めるのは、ＲＳＡ暗号を被るのと同じだけ困難であるから、通常は不可能である。また、多くのメッセージの通信を傍受して、統計などから共通鍵を推定することも、共通鍵が送信ごとに異なるために不可能である。」に訂正する。
　ｎ.発明の詳細な説明中の
　「［００２７］
　上記のように、本発明の実施の形態1では、移動通信ダイナミックセキュアグルーピング通信方式を、メッセージを送信単位に分割して、送信単位ごとに共通暗号鍵により暗号化し、共通暗号鍵を受信端末ごとの公開暗号化鍵で暗号化し、暗号化された送信単位のメッセージと複数の暗号化共通暗号鍵を組にして受信端末に同報送信する構成としたので、動的に変化する複数の移動通信端末のグループに対する通信のセキュリティを暗号によって確保することができる。」を、
　「［００２７］
　上記のように、本発明の実施の形態1では、移動通信ダイナミックセキュアグルーピング通信方式を、メッセージを送信単位に分割して、送信単位ごとに共通鍵により暗号化し、共通鍵を受信端末ごとの公開暗号化鍵で暗号化し、暗号化された送信単位のメッセージと複数の共通暗号鍵を組にして受信端末に同報送信する構成としたので、動的に変化する複数の移動通信端末のグループに対する通信のセキュリティを暗号によって確保することができる。」に訂正する。
　ｏ.発明の詳細な説明中の
　「［００２８］
　(実施の形態2)
　本発明の第2の実施の形態は、メッセージを送信単位に分割して、送信単位ごとに共通暗号鍵により暗号化し、共通暗号鍵を受信端末ごとの公開暗号化鍵で暗号化し、暗号化された送信単位のメッセージと複数の暗号化共通暗号鍵を組にして同報送信し、無線基地局と制御局を介してグループの複数の受信端末にメッセージを秘密に送信する移動通信ダイナミックセキュアグルーピング通信方式である。」を、
　「［００２８］
　(実施の形態2)
　本発明の第2の実施の形態は、メッセージを送信単位に分割して、送信単位ごとに共通鍵により暗号化し、共通鍵を受信端末ごとの公開暗号化鍵で暗号化し、暗号化された送信単位のメッセージと複数の共通暗号鍵を組にして同報送信し、無線基地局と制御局を介してグループの複数の受信端末にメッセージを秘密に送信する移動通信ダイナミックセキュアグルーピング通信方式である。」に訂正する。
　ｐ.発明の詳細な説明中の
　「［００３１］
　図9は、実施の形態2の移動通信ダイナミックセキュアグルーピング通信方式において、送信端末から送られる送信信号フォーマットを示す図である。図9において、Ｃｋｂ'とＣｋｃ'は、公開鍵で暗号化された共通鍵であり、Ｍ'は共通鍵で暗号化されたメッセージである。」を、
　「［００３１］
　図9は、実施の形態2の移動通信ダイナミックセキュアグルーピング通信方式において、送信端末から送られる送信信号フォーマットを示す図である。図9において、Ｃｋｂ'とＣｋｃ'は、公開鍵で暗号化された共通暗号鍵であり、Ｍ'は共通鍵で暗号化されたメッセージである。」に訂正する。
　ｑ.発明の詳細な説明中の
　「［００３２］
　以下、図7と図8と図9を参照しながら、本発明の第2の実施の形態の移動通信ダイナミックセキュアグルーピング通信方式における通信方法を説明する。いま、図7に示す端末Ａ、Ｂ、Ｃでグループを構成しているものとする。図8に示すように、端末Ａがメッセージを端末Ｂ、Ｃに送るとき、端末Ａは、端末Ｂ、Ｃを呼び出し、公開鍵を要求する。端末Ａの要求は、無線基地局3を制御する制御局1を介して、無線基地局3によって端末Ｂ、Ｃに送られる。呼出しを受けた端末Ｂ、Ｃは、公開鍵を端末Ａに送出する。端末Ａは、暗号化されたメッセージと共通鍵を1つのパケットとして端末Ｂ、Ｃに送り、回線を断とする。端末Ｂ、Ｃは、端末Ａから送られて来た暗号化された共通鍵を、それぞれの復号化鍵を使って復号し、復号した共通鍵を使ってメッセージを復号する。メッセージが受信出来ると、端末Ｂ、Ｃは受信出来た旨を制御局1に送り返す。受信が完了すると、制御局1は回線を断として通信を終了する。ここで、移動端末代理局2は、端末4のメッセージを一時的に記憶しておくところで、端末Ａがメッセージを送出した場合、このメッセージは制御局1を介して移動端末代理局2にも送られ、記憶される。この記憶内容は、各受信端末の受信応答が揃ったことによって消去される。もし、何らかの原因、例えば、無線回線状況悪化などで、一定時間(所定のメッセージ到達制限時間)に応答がない場合には、移動端末代理局2はメッセージを応答のない端末に再送する。」を、
　「［００３２］
　以下、図7と図8と図9を参照しながら、本発明の第2の実施の形態の移動通信ダイナミックセキュアグルーピング通信方式における通信方法を説明する。いま、図7に示す端末Ａ、Ｂ、Ｃでグループを構成しているものとする。図8に示すように、端末Ａがメッセージを端末Ｂ、Ｃに送るとき、端末Ａは、端末Ｂ、Ｃを呼び出し、公開鍵を要求する。端末Ａの要求は、無線基地局3を制御する制御局1を介して、無線基地局3によって端末Ｂ、Ｃに送られる。呼出しを受けた端末Ｂ、Ｃは、公開鍵を端末Ａに送出する。端末Ａは、暗号化されたメッセージと共通鍵を1つのパケットとして端末Ｂ、Ｃに送り、回線を断とする。端末Ｂ、Ｃは、端末Ａから送られて来た暗号化された共通暗号鍵を、それぞれの復号化鍵を使って復号し、復号した共通鍵を使ってメッセージを復号する。メッセージが受信出来ると、端末Ｂ、Ｃは受信出来た旨を制御局1に送り返す。受信が完了すると、制御局1は回線を断として通信を終了する。ここで、移動端末代理局2は、端末4のメッセージを一時的に記憶しておくところで、端末Ａがメッセージを送出した場合、このメッセージは制御局1を介して移動端末代理局2にも送られ、記憶される。この記憶内容は、各受信端末の受信応答が揃ったことによって消去される。もし、何らかの原因、例えば、無線回線状況悪化などで、一定時間(所定のメッセージ到達制限時間)に応答がない場合には、移動端末代理局2はメッセージを応答のない端末に再送する。」に訂正する。
　ｒ.発明の詳細な説明中の
　「［００３５］
　図9(ａ)に、公開鍵で暗号化された共通鍵と、共通鍵で暗号化されたメッセージとを組にして送信端末から送られる送信信号フォーマットを示す。送信信号は、公開鍵で暗号化された受信端末Ｂ、Ｃへの共通鍵Ｃｋｂ'　,Ｃｋｃ'と、共通鍵Ｃｋで暗号化されたメッセージとからなる。この信号が送信端末Ａから無線基地局3へ電波を介して送られる。無線基地局3で受信された信号は復調され、制御局1へ送られる。制御局1は、送信端末Ａから送られた、図9(ａ)の信号を、図9(ｂ)に示す受信端末Ｂ、Ｃ用信号フォーマットに変換する。受信端末Ｂへは、共通暗号鍵Ｃｋｂ'とメッセージＭ'を、受信端末Ｃへは、Ｃｋｃ'とＭ'を、それぞれ組とした信号フォーマットで送り出す。この信号は、無線基地局3でそれぞれ異なった周波数の高周波に変調され、電波となって端末Ｂ、端末Ｃに送られる。そして、それぞれの端末Ｂ、Ｃで受信、復調、復号されて、端末Ａのメッセージが端末Ｂ、Ｃに受けとられる。グループの相手受信端末が増えた場合は、信号フォーマットにおけるＣｋｂ'、Ｃｋｃ'の位置に、受信端末の暗号化された共通鍵が追加される。暗号化されたＭ'は共通なので増えることはない。」を、
　「［００３５］
　図9(ａ)に、公開鍵で暗号化された共通暗号鍵と、共通鍵で暗号化されたメッセージとを組にして送信端末から送られる送信信号フォーマットを示す。送信信号は、公開鍵で暗号化された受信端末Ｂ、Ｃへの共通暗号鍵Ｃｋｂ',Ｃｋｃ'と、共通鍵Ｃｋで暗号化されたメッセージとからなる。この信号が送信端末Ａから無線基地局3へ電波を介して送られる。無線基地局3で受信された信号は復調され、制御局1へ送られる。制御局1は、送信端末Ａから送られた、図9(ａ)の信号を、図9(ｂ)に示す受信端末Ｂ、Ｃ用信号フォーマットに変換する。受信端末Ｂへは、共通暗号鍵Ｃｋｂ'とメッセージＭ'を、受信端末Ｃへは、Ｃｋｃ'とＭ'を、それぞれ組とした信号フォーマットで送り出す。この信号は、無線基地局3でそれぞれ異なった周波数の高周波に変調され、電波となって端末Ｂ、端末Ｃに送られる。そし,て、それぞれの端末Ｂ、Ｃで受信、復調、復号されて、端末Ａのメッセージが端末Ｂ、Ｃに受けとられる。グループの相手受信端末が増えた場合は、信号フォーマットにおけるＣｋｂ'、Ｃｋｃ'の位置に、受信端末の暗号化された共通暗号鍵が追加される。暗号化されたＭ'は共通なので増えることはない。」に訂正する。
　ｓ.発明の詳細な説明中の
　「［００３６］
　ここでは、送信端末と各受信端末の使用チャンネル周波数が異なる自動車携帯電話のようなチャンネル構成のシステムの場合を説明したが、同一のチャンネルを使用する、いわゆる業務用無線などのシステムの場合は、制御局で暗号化された共通鍵とメッセージを組みかえ、端末ごとの信号フォーマットに変換する必要はなく、送信端末から送られた信号をそのまま受信端末に送信する。これにより変換の処理が軽減される。端末ごとに個別のチャンネル構成のシステムであっても変換しなくても信号は送れるが、必要のない信号が送られるだけ回線使用時間が長くなるので、信号フォーマット変換が行われる。」を、
　「［００３６］
　ここでは、送信端末と各受信端末の使用チャンネル周波数が異なる自動車携帯電話のようなチャンネル構成のシステムの場合を説明したが、同一のチャンネルを使用する、いわゆる業務用無線などのシステムの場合は、制御局で暗号化された共通暗号鍵とメッセージを組みかえ、端末ごとの信号フォーマットに変換する必要はなく、送信端末から送られた信号をそのまま受信端末に送信する。これにより変換の処理が軽減される。端末ごとに個別のチャンネル構成のシステムであっても変換しなくても信号は送れるが、必要のない信号が送られるだけ回線使用顕間が長くなるので、信号フオーマット変換が行われる。」に訂正する。
　ｔ.発明の詳細な説明中の
　「［００３７］
　上記のように、本発明の実施の形態2では、移動通信ダイナミックセキュアグルーピング通信方式を、メッセージを送信単位に分割して、送信単位ごとに共通暗号鍵により暗号化し、共通暗号鍵を受信端末ごとの公開暗号化鍵で暗号化し、暗号化された送信単位のメッセージと複数の暗号化共通暗号鍵を組にして同報送信し、無線基地局と制御局を介してグループの複数の受信端末にメッセージを秘密に送信する構成としたので、移動電話などにおける動的に変化する複数の移動通信端末のグループに対する通信のセキュリティを、グループ鍵を使わずに確保することができる。」を、
　「［００３７］
　上記のように、本発明の実施の形態2では、移動通信ダイナミックセキュアグルーピング通信方式を、メッセージを送信単位に分割して、送信単位ごとに共通鍵により暗号化し、共通鍵を受信端末ごとの公開暗号化鍵で暗号化し、暗号化された送信単位のメッセージと複数の共通暗号鍵を組にして同報送信し、無線基地局と制御局を介してグループの複数の受信端末にメッセージを秘密に送信する構成としたので、移動電話などにおける動的に変化する複数の移動通信端末のグループに対する通信のセキュリティを、グループ鍵を使わずに確保することができる。」に訂正する。
　ｕ.発明の詳細な説明中の
　「［００３８］
　【発明の効果】
　以上説明したように、本発明では、ダイナミックセキュアグルーピング通信方式を、グループの各受信端末に送信するメッセージを送信単位に分割して、送信単位ごとに送信内容を共通暗号鍵により暗号化し、送信ごとにグループを構成する送信先端末を指定して共通暗号鍵を各受信端末の公開暗号方式の暗号化鍵で暗号化し、暗号化された1送信単位のメッセージとグループの各受信者の暗号化鍵で暗号化した共通暗号鍵を組にして同報送信し、共通暗号鍵を1つの暗号化メッセージ単位の送信ごとに更新する構成とし、複数の通信端末が送信ごとに送信先端末を指定して相互に送信受信を行うことでグループを形成するので、グループ鍵が不要になり、公開暗号鍵の復号化鍵のみを秘密に保管するだけで、動的に変化する複数の移動通信端末のグループに対する通信のセキュリティを確保できるという効果が得られる。」を、
　「［００３８］
　【発明の効果】
　以上説明したように、本発明では、ダイナミックセキュアグルーピング通信方式を、グループの各受信端末に送信するメッセージを送信単位に分割して、送信単位ごとに送信内容を共通鍵により暗号化し、送信ごとにグループを構成する送信先端末を指定して共通鍵を各受信端末の公開暗号方式の暗号化鍵で暗号化し、暗号化された1送信単位のメッセージとグループの各受信者の暗号化鍵で暗号化された共通暗号鍵を組にして同報送信し、共通鍵を1つの暗号化メッセージ単位の送信ごとに更新する構成とし、複数の通信端末が送信ごとに送信先端末を指定して相互に送信受信を行うことでグループを形成するので、グループ鍵が不要になり、公開暗号鍵の復号化鍵のみを秘密に保管するだけで、動的に変化する複数の移動通信端末のグループに対する通信のセキュリティを確保できるという効果が得られる。」に訂正する。
　イ．訂正の目的の適否、新規事項の有無及び拡張・変更の存否
　訂正事項ａ〜ｅ,ｇ〜ｕの訂正は、出願当初の図面の図5の記載「共通鍵Ｃｋ」を根拠として、Ｃｋに対応する鍵を共通鍵と呼び、共通鍵Ｃｋを暗号化したＣｋ'を共通暗号鍵と呼ぶように統一したものである。訂正事項ｄの訂正は、さらに、「共通鍵」と「共通暗号鍵」の区別の説明を追加して明確にしたものである。また、訂正事項ａ,ｃ,ｅ,ｆ,ｇ,ｋ,ｕの訂正は、意味を明瞭にするために、「暗号化した」を「暗号化された」と訂正したものである。これらの訂正は、明瞭でない記載の釈明を目的とするものであって、新規事項の追加に該当せず、また、実質上特許請求の範囲を拡張し、変更するものでもない。
　ウ．むすび
　以上のとおりであるから、上記訂正は、特許法第１２０条の４第２項及び同法同条第３項において準用する同法第１２６条第２、３項の規定に適合するので、当該訂正を認める。
（３）特許異議申立てについて
　ア．本件発明
  平成１２年８月１日付けで提出された訂正明細書の請求項１乃至５に係る発明は、その特許請求の範囲の請求項１乃至５に記載された次の事項により特定されるとおりのものである。
　「［請求項１］複数の通信端末からなる移動通信ダイナミックセキュアグルーピング通信方式において、各通信端末は、送信メッセージを所定の長さのメッセージ単位に区切る手段と、前記メッセージ単位ごとに共通鍵で暗号化する手段と、送信ごとにグループを構成する送信先端末を指定して前記共通鍵を送信先通信端末対応の個別暗号化鍵で暗号化する手段と、1つの暗号化メッセージ単位と前記個別暗号化鍵で暗号化された複数の共通暗号鍵とを組にして複数の通信端末からなるグループに同報通信を行なう手段と、前記共通鍵を1つの暗号化メッセージ単位の送信ごとに更新する手段とを具備し、複数の通信端末が送信ごとに送信先端末を指定して相互に送信受信を行うことでグループを形成することを特徴とする移動通信ダイナミックセキュアグルーピング通信方式。
　［請求項２］前記個別暗号化鍵として公開鍵方式の公開鍵を用いることを特徴とする請求項1記載の移動通信ダイナミックセキュアグループ通信方式。
　［請求項３］前記通信端末と無線により結ばれる無線基地局と、前記通信端末に送られる暗号化メッセージ単位と前記個別暗号化鍵で暗号化された共通暗号鍵を一時記憶する移動端末代理局と、前記無線基地局と前記移動端末代理局とに接続され前記無線基地局と前記通信端末と前記移動端末代理局を制御する制御局とを有することを特徴とする請求項1記載の移動通信ダイナミックセキュアグループ通信方式。
　［請求項４］共通鍵を発生する手段と、送信メッセージを所定の長さのメッセージ単位に区切る手段と、前記メッセージ単位ごとに前記共通鍵で暗号化する手段と、前記共通鍵を送信先通信端末対応の個別暗号化鍵で暗号化する手段と、送信ごとにグループを構成する送信先端末を指定して前記共通鍵を送信先通信端末対応の個別暗号化鍵で暗号化する手段と、1つの暗号化メッセージ単位と暗号化された複数の共通暗号鍵とを組にして複数の通信端末からなるグループに同報通信を行なう手段と、受信した暗号化された共通暗号鍵を復号して前記暗号化メッセージ単位を復号する手段と、前記共通鍵を1つの暗号化メッセージ単位の送信ごとに更新する手段とを具備し、複数の通信端末が送信ごとに送信先端末を指定して相互に送信受信を行うことでグループを形成することを特徴とする移動無線端末。
　［請求項５］受信したメッセージを端末個有の暗号鍵で暗号化して格納する暗号フォルダーを有することを特徴とする請求項4記載の移動無線端末。」
　イ．申立ての理由の概要
  特許異議申立人エヌ・ティ・ティ移動通信網株式会社は、請求項１に係る発明は、甲第１号証（特開平７−１６２６９３号公報）、甲第２号証ＩＥＴＦ（Ｉnternet Engineering Task Force）Ｐ．２〜Ｐ．２１、１９９６年８月（平成８年８月）、甲第５号証（特開昭６３−２９２８３３号公報）、甲第６号証（特開平６−３７７５０号公報）、甲第７号証（特開平７−１３４５４７号公報）、甲第８号証（特開平１−１８８１３３号公報）をもとに容易に発明をすることができたものであり、請求項２に係る発明は、甲第１号証（特開平７−１６２６９３号公報）、甲第２号証ＩＥＴＦ（Ｉnternet Engineering Task Force）Ｐ．２〜Ｐ．２１、１９９６年８月（平成８年８月）、甲第３号証（特開平２−９５０４２号公報）、甲第５号証（特開昭６３−２９２８３３号公報）、甲第６号証（特開平６−３７７５０号公報）をもとに容易に発明をすることができたものであり、請求項３に係る発明は、甲第１号証（特開平７−１６２６９３号公報）、甲第２号証ＩＥＴＦ（Ｉnternet Engineering Task Force）Ｐ．２〜Ｐ．２１、１９９６年８月（平成８年８月）、甲第４号証（特開平６−３１１５５２号公報）、甲第５号証（特開昭６３−２９２８３３号公報）、甲第６号証（特開平６−３７７５０号公報）をもとに容易に発明をすることができたものであり、請求項４に係る発明は、甲第１号証（特開平７−１６２６９３号公報）、甲第２号証ＩＥＴＦ（Ｉnternet Engineering Task Force）Ｐ．２〜Ｐ．２１、１９９６年８月（平成８年８月）、甲第５号証（特開昭６３−２９２８３３号公報）、甲第６号証（特開平６−３７７５０号公報）、甲第７号証（特開平７−１３４５４７号公報）、甲第８号証（特開平１−１８８１３３号公報）をもとに容易に発明をすることができたものであり、請求項５に係る発明は、甲第１号証（特開平７−１６２６９３号公報）、甲第２号証ＩＥＴＦ（Ｉnternet Engineering Task Force）Ｐ．２〜Ｐ．２１、１９９６年８月（平成８年８月）、甲第５号証（特開昭６３−２９２８３３号公報）、甲第６号証（特開平６−３７７５０号公報）、甲第７号証（特開平７−１３４５４７号公報）、甲第８号証（特開平１−１８８１３３号公報）をもとに容易に発明をすることができたものであり、特許法第２９条第２項の規定により、特許を受けることができないものであるから、特許を取り消すべきと主張している。
　ウ．判断
　特許異議申立人エヌ・ティ・ティ移動通信網株式会社の提示した甲第１号証刊行物（特開平７−１６２６９３号公報）には、
　デ−タ送受信装置およびアダプタに関し、特に暗号文の同報通信に関する。すなわち、　
ファクシミリ装置からなり、受取先を指定し、暗号を用いて安全な通信を行う通信方式において、ファクシミリ装置に接続された暗号化同報デ−タ送受信用アダプタは、送信用デ−タを共通鍵で暗号化する手段と（［００１０］を参照。）、共通鍵は全ての受取先に対して共通であり、共通鍵暗号手段にて、受取先の各々に対応する個別鍵で共通鍵を暗号化し、個別鍵の数に対応する複数の共通鍵暗号文を得、送信手段にて、暗号文と、受取先の各々に対応する複数の識別符号とを一組として送信を行う（［００１１］を参照。）通信方式
　の発明が記載されている。
  また、特許異議申立人エヌ・ティ・ティ移動通信網株式会社の提示した甲第２号証刊行物（ＩＥＴＦ（Ｉnternet Engineering Task Force）Ｐ．２〜Ｐ．２１、１９９６年８月（平成８年８月））には、
　ＰＧＰにおいては、各コンベンショナルキ−を１回のみ使用するので、各メッセ−ジに対して、新しいキ−を、生成し、セッションキ−はメッセ−ジに結合され、それとともに送信される。送信ＰＧＰは、セッションキ−を用いてメッセ−ジを暗号化する。セッションキ−は、受信者の公開鍵を用いて暗号化され、暗号化されたメッセ−ジにプリペンドされる。受信ＰＧＰは、受信者の秘密鍵を用いてセッションキ−を復号化する。
　の発明が記載されている。
　また、特許異議申立人エヌ・ティ・ティ移動通信網株式会社の提示した甲第３号証刊行物（特開平２−９５０４２号公報）には、
　暗号化処理が復号化処理に比べて少ない演算量しか必要としない公開鍵暗号を用いた（第７頁左下欄参照。）共通鍵配送システム
　の発明が記載されている。
  また、特許異議申立人エヌ・ティ・ティ移動通信網株式会社の提示した甲第４号証刊行物（特開平６−３１１５５２号公報）には、
　携帯電話機がメッセ−ジを送信した無線ゾ−ンに存在しない場合や電波障害などの理由でメッセ−ジを受信できない場合など、メッセ−ジを送信した基地局が携帯電話機からの応答を受信できない場合は、基地局はメッセ−ジデ−タを制御局を介してメッセ−ジファイルに蓄積し、その後、携帯電話機からの位置登録があった場合には、位置登録を受けた基地局は制御局と通信を行い、携帯電話機に対するメッセ−ジデ−タが存在していないかの確認を行い、メッセ−ジデ−タが存在するならば、メッセ−ジファイルからメッセ−ジデ−タを取り出し、携帯電話機にメッセ−ジを送信する無線電話システム（第１頁左下欄参照。）
　の発明が記載されている。
  また、特許異議申立人エヌ・ティ・ティ移動通信網株式会社の提示した甲第５号証刊行物（特開昭６３−２９２８３３号公報）には、
　この発明は、単信方式で群呼出しが可能な無線端末装置に関するものであり、一般に、移動無線方式においては全ての無線端末装置を一斉に呼出して交信を行う一斉呼出しモ−ドと、予め設定した特定の無線端末装置のみを呼出して交信を行う群呼出しモ−ドの２つの呼出しモ−ドがあるが、無線端末装置としては何れの呼出しモ−ドを用いても操作性が良く、小型であることが必要であること（第２頁左上欄〜同頁右上欄参照。）
  の発明が記載されている。
  また、特許異議申立人エヌ・ティ・ティ移動通信網株式会社の提示した甲第６号証刊行物（特開平６−３７７５０号公報）には、
　暗号化鍵を暗号化情報と共に転送する手段を送信端末に設け、受信した情報の中の暗号化鍵から解読鍵を決定する手段を受信端末に設けること（第１頁左下欄参照。）、その暗号化鍵は、パケットの情報領域に挿入すること（［００２８］を参照。）
  の発明が記載されている。
  また、特許異議申立人エヌ・ティ・ティ移動通信網株式会社の提示した甲第７号証刊行物（特開平７−１３４５４７号公報）には、
　ソフトデ−タをフロッピ−ディスクなどの情報記録媒体に格納すること（［００３７］を参照。）
  の発明が記載されている。
  さらに、特許異議申立人エヌ・ティ・ティ移動通信網株式会社の提示した甲第８号証刊行物（特開平１−１８８１３３号公報）には、
　乱数発生部により任意に乱数を発生させ、その乱数情報を同報宛先である特定ユ−ザグル−プ名に対応した暗号鍵とすることにより暗号鍵を生成する（第４頁右上欄参照。）。
  の発明が記載されている。
  （対比・判断）
　本件請求項１に係る発明と上記甲第１、２号証刊行物、甲第５〜８号証刊行物に記載されたもの及び本件請求項４に係る発明と甲第１、２号証刊行物、甲第５〜８号証刊行物に記載されたものとをそれぞれ対比すると、何れの刊行物にも、本件請求項１に係る発明および本件請求項４に係る発明を特定する事項である、送信メッセージを所定の長さのメッセージ単位に区切る手段と、前記メッセージ単位ごとに共通鍵で暗号化する手段と、前記共通鍵を1つの暗号化メッセージ単位の送信ごとに更新する手段とを備えておらず、当該事項により本件請求項１に係る発明および本件請求項４に係る発明は、通信のセキュリティを一層高める事ができるという顕著な効果を奏するものであり、本件請求項１に係る発明および本件請求項４に係る発明が上記甲第１、２号証刊行物、甲第５〜８号証刊行物に記載されたものから容易に発明をすることができたものとはいえない。
　そして、本件請求項２、３に係る発明及び本件請求項５に係る発明は、それぞれ本件請求項１に係る発明または本件請求項４に係る発明を引用してさらにその上に限定している発明であり、本件請求項１に係る発明及び本件請求項４に係る発明が当業者が容易に発明をすることができたものとはいえないのであるから、本件請求項２、３に係る発明及び本件請求項５に係る発明も当業者が容易に発明をすることができたものとはいえない。
　エ．むすび
　以上のとおりであるから、特許異議申立ての理由及び証拠によっては、本件請求項１〜５に係る発明の特許を取り消すことはできない。
　また、他に本件請求項１〜５に係る発明の特許を取り消すべき理由を発見しない。
　　よって、結論のとおり決定する。
【異議決定日】
平成１２年８月１６日（２０００．８．１６）
【訂正の要旨】
訂正事項（訂正の要旨）
ａ．平成１１年４月１３日付け本件請求人提出の補正書により補正された
「【特許請求の範囲】
　【請求項１】　複数の通信端末からなる移動通信ダイナミックセキュアグルーピング通信方式において、各通信端末は、送信メッセージを所定の長さのメッセージ単位に区切る手段と、前記メッセージ単位ごとに共通暗号鍵で暗号化する手段と、送信ごとにグループを構成する送信先端末を指定して前記共通暗号鍵を送信先通信端末対応の個別暗号化鍵で暗号化する手段と、１つの暗号化メッセージ単位と前記個別暗号化鍵で暗号化した複数の共通暗号鍵とを組にして複数の通信端末からなるグループに同報通信を行なう手段と、前記共通暗号鍵を１つの暗号化メッセージ単位の送信ごとに更新する手段とを具備し、複数の通信端末が送信ごとに送信先端末を指定して相互に送信受信を行うことでグループを形成することを特徴とする移動通信ダイナミックセキュアグルーピング通信方式。
　【請求項２】　前記個別暗号化鍵として公開鍵方式の公開鍵を用いることを特徴とする請求項１記載の移動通信ダイナミックセキュアグループ通信方式。
　【請求項３】　前記通信端末と無線により結ばれる無線基地局と、前記通信端末に送られる暗号化メッセージ単位と前記個別暗号化鍵で暗号化した共通暗号鍵を一時記憶する移動端末代理局と、前記無線基地局と前記移動端末代理局とに接続され前記無線基地局と前記通信端末と前記移動端末代理局を制御する制御局とを有することを特徴とする請求項１記載の移動通信ダイナミックセキュアグループ通信方式。
　【請求項４】　共通暗号鍵を発生する手段と、送信メッセージを所定の長さのメッセージ単位に区切る手段と、前記メッセージ単位ごとに前記共通暗号鍵で暗号化する手段と、前記共通暗号鍵を送信先通信端末対応の個別暗号化鍵で暗号化する手段と、送信ごとにグループを構成する送信先端末を指定して前記共通暗号鍵を送信先通信端末対応の個別暗号化鍵で暗号化する手段と、１つの暗号化メッセージ単位と暗号化した複数の共通暗号鍵とを組にして複数の通信端末からなるグループに同報通信を行なう手段と、受信した暗号化された共通暗号鍵を復号して前記暗号化メッセージ単位を復号する手段と、前記共通暗号鍵を１つの暗号化メッセージ単位の送信ごとに更新する手段とを具備し、複数の通信端末が送信ごとに送信先端末を指定して相互に送信受信を行うことでグループを形成することを特徴とする移動無線端末。
　【請求項５】　受信したメッセージを端末個有の暗号鍵で暗号化して格納する暗号フォルダーを有することを特徴とする請求項４記載の移動無線端末。」
を、明瞭でない記載の釈明を目的として、
「【特許請求の範囲】
　【請求項１】　複数の通信端末からなる移動通信ダイナミックセキュアグルーピング通信方式において、各通信端末は、送信メッセージを所定の長さのメッセージ単位に区切る手段と、前記メッセージ単位ごとに
共通鍵
共通鍵
され
共通鍵
　【請求項２】　前記個別暗号化鍵として公開鍵方式の公開鍵を用いることを特徴とする請求項１記載の移動通信ダイナミックセキュアグループ通信方式。
　【請求項３】　前記通信端末と無線により結ばれる無線基地局と、前記通信端末に送られる暗号化メッセージ単位と前記個別暗号化鍵で暗号化
され
　【請求項４】　
共通鍵
共通鍵
共通鍵
共通鍵
され
共通鍵
　【請求項５】　受信したメッセージを端末個有の暗号鍵で暗号化して格納する暗号フォルダーを有することを特徴とする請求項４記載の移動無線端末。」
と訂正する。
ｂ．特許明細書中の
「　【０００３】
　【発明が解決しようとする課題】
　このように、グループを構成する端末が増えると、グループ鍵の数は、構成端末の増加よりもはるかに激しく増加する。そして、この多くの鍵がグループを構成するグループ以外へ漏れることがないように管理することが必要である。同一の鍵を持った端末が複数台あるので、どれか１台からでも鍵の秘密が漏れると、そのグループの全ての端末に影響を与える。したがって、一対一の通信の場合より鍵の管理が重要になる。共通暗号鍵を使用した場合には、配送途中で鍵を盗まれるという危険があるので、鍵の配送にも注意する必要がある。」
を、明瞭でない記載の釈明を目的として、
「　【０００３】
　【発明が解決しようとする課題】
　このように、グループを構成する端末が増えると、グループ鍵の数は、構成端末の増加よりもはるかに激しく増加する。そして、この多くの鍵がグループを構成するグループ以外へ漏れることがないように管理することが必要である。同一の鍵を持った端末が複数台あるので、どれか１台からでも鍵の秘密が漏れると、そのグループの全ての端末に影響を与える。したがって、一対一の通信の場合より鍵の管理が重要になる。
共通鍵
と訂正する。
ｃ．特許明細書の
「　【０００６】
　【課題を解決するための手段】
　上記の課題を解決するために、本発明では、ダイナミックセキュアグルーピング通信方式を、グループの各受信端末に送信するメッセージを送信単位に分割して、送信単位ごとに送信内容を共通暗号鍵により暗号化し、共通暗号鍵を各受信端末の公開暗号方式の暗号化鍵で暗号化し、暗号化された１送信単位のメッセージとグループの各受信者の暗号化鍵で暗号化した共通暗号鍵を組にして同報送信する構成とした。」
を、明瞭でない記載の釈明を目的として、
「　【０００６】
　【課題を解決するための手段】
　上記の課題を解決するために、本発明では、ダイナミックセキュアグルーピング通信方式を、グループの各受信端末に送信するメッセージを送信単位に分割して、送信単位ごとに送信内容を
共通鍵
共通鍵
され
と訂正する。
ｄ．特許明細書の
「　【０００７】
　このように構成したことにより、動的に変化する複数の移動通信端末のグループに対する通信のセキュリティを、送信単位ごとに異なる共通暗号鍵と、端末対応の公開暗号化鍵とによって確保することができる。」
を、明瞭でない記載の釈明を目的として、
「　【０００７】
　このように構成したことにより、動的に変化する複数の移動通信端末のグループに対する通信のセキュリティを、送信単位ごとに異なる
共通鍵
なお、グループの共通鍵と区別するために、グループの各受信者の暗号化鍵で暗号化された共通鍵を共通暗号鍵と呼ぶ。
と訂正する。
ｅ．特許明細書の
「　【０００８】
　【発明の実施の形態】
　本発明の請求項１記載の発明は、複数の通信端末からなる移動通信ダイナミックセキュアグルーピング通信方式において、各通信端末は、送信メッセージを所定の長さのメッセージ単位に区切る手段と、前記メッセージ単位ごとに共通暗号鍵で暗号化する手段と、送信ごとにグループを構成する送信先端末を指定して前記共通暗号鍵を送信先通信端末対応の個別暗号化鍵で暗号化する手段と、１つの暗号化メッセージ単位と前記個別暗号化鍵で暗号化した複数の共通暗号鍵とを組にして複数の通信端末からなるグループに同報通信を行なう手段と、前記共通暗号鍵を１つの暗号化メッセージ単位の送信ごとに更新する手段とを具備し、複数の通信端末が送信ごとに送信先端末を指定して相互に送信受信を行うことでグループを形成する移動通信ダイナミックセキュアグルーピング通信方式であり、共通暗号鍵をグループの各通信端末対応の個別暗号化鍵で暗号化することにより、グループの通信端末を特定して通信の秘密を確保するとともに、暗号解読を困難にするという作用を有する。」
を、明瞭でない記載の釈明を目的として、
「　【０００８】
　【発明の実施の形態】
　本発明の請求項１記載の発明は、複数の通信端末からなる移動通信ダイナミックセキュアグルーピング通信方式において、各通信端末は、送信メッセージを所定の長さのメッセージ単位に区切る手段と、前記メッセージ単位ごとに
共通鍵
共通鍵
され
共通鍵
共通鍵
と訂正する。
ｆ．特許明細書の
「　【００１０】
　本発明の請求項３記載の発明は、請求項１記載の移動通信ダイナミックセキュアグループ通信方式において、前記通信端末と無線により結ばれる無線基地局と、前記通信端末に送られる暗号化メッセージ単位と前記個別暗号化鍵で暗号化した共通暗号鍵を一時記憶する移動端末代理局と、前記無線基地局と前記移動端末代理局とに接続され前記無線基地局と前記通信端末と前記移動端末代理局を制御する制御局とを有するものであり、受信端末の一時的な受信エラーを移動端末代理局により回復するという作用を有する。」
を、明瞭でない記載の釈明を目的として、
「　【００１０】
　本発明の請求項３記載の発明は、請求項１記載の移動通信ダイナミックセキュアグループ通信方式において、前記通信端末と無線により結ばれる無線基地局と、前記通信端末に送られる暗号化メッセージ単位と前記個別暗号化鍵で暗号化
され
と訂正する。
ｇ．特許明細書の
「　【００１１】
　本発明の請求項４記載の発明は、共通暗号鍵を発生する手段と、送信メッセージを所定の長さのメッセージ単位に区切る手段と、前記メッセージ単位ごとに前記共通暗号鍵で暗号化する手段と、送信ごとにグループを構成する送信先端末を指定して前記共通暗号鍵を送信先通信端末対応の個別暗号化鍵で暗号化する手段と、１つの暗号化メッセージ単位と暗号化した複数の共通暗号鍵とを組にして複数の通信端末からなるグループに同報通信を行なう手段と、受信した暗号化された共通暗号鍵を復号して前記暗号化メッセージ単位を復号する手段と、前記共通暗号鍵を１つの暗号化メッセージ単位の送信ごとに更新する手段とを具備し、複数の通信端末が送信ごとに送信先端末を指定して相互に送信受信を行うことでグループを形成する移動無線端末であり、共通暗号鍵をグループの各通信端末対応の個別暗号化鍵で暗号化することにより、送信端末でグループの通信端末を特定してグループ通信の秘密を確保するとともに、暗号解読を困難にするという作用を有する。」
を、明瞭でない記載の釈明を目的として、
「　【００１１】
　本発明の請求項４記載の発明は、
共通鍵
共通鍵
共通鍵
され
共通鍵
共通鍵
と訂正する。
ｈ．特許明細書の
「　【００１４】
　（実施の形態１）
　本発明の第１の実施の形態は、メッセージを送信単位に分割して、送信単位ごとに異なる共通暗号鍵により暗号化し、共通暗号鍵を受信端末ごとの公開暗号化鍵で暗号化し、暗号化された送信単位のメッセージと複数の暗号化共通暗号鍵を組にして受信端末に同報送信する移動通信ダイナミックセキュアグルーピング通信方式である。」
を、明瞭でない記載の釈明を目的として、
「　【００１４】
　（実施の形態１）
　本発明の第１の実施の形態は、メッセージを送信単位に分割して、送信単位ごとに異なる
共通鍵
共通鍵
共通暗号鍵
と訂正する。
ｉ．特許明細書の
「　【００１６】
　多くの通信端末でグループを作って通信を行なうグループ通信であっても、短い時間で通信形態を見れば、１つの送信端末と複数の受信端末でグループが形成されている。したがって、グループ通信のメッセージを送信単位ごとに共通暗号鍵により暗号化し、共通暗号鍵をグループの各受信端末の公開暗号鍵で暗号化し、暗号化された送信メッセージと共に受信端末に送信することにより、グループを構成する端末を特定して、秘密のグループ通信を行なうことができる。」
を、明瞭でない記載の釈明を目的として、
「　【００１６】
　多くの通信端末でグループを作って通信を行なうグループ通信であっても、短い時間で通信形態を見れば、１つの送信端末と複数の受信端末でグループが形成されている。したがって、グループ通信のメッセージを送信単位ごとに
共通鍵
共通鍵
と訂正する。
ｊ．特許明細書の
「　【００２２】
　次に、共通暗号鍵Ｃｋを生成する。この共通暗号鍵は公開鍵とは異なって、暗号化鍵と復号化鍵が共通である。この共通暗号鍵は、メッセージの送信ごとに異なる鍵が生成され使用される。この鍵は、送信と受信が終了するまで秘密に保つ必要がある。一般に、公開暗号鍵はビット長が長く計算も複雑であるため、その処理に時間がかかる。それに反して、共通暗号鍵はビット長が短く、処理に時間がかからない。ここまでの３ステップは、どの順番に行なってもかまわない。」
を、明瞭でない記載の釈明を目的として、
「　【００２２】
　次に、
共通鍵
共通鍵
共通鍵
共通鍵
と訂正する。
ｋ．特許明細書の
「　【００２３】
　これらの準備が出来たところで、まず、メッセージＭを共通暗号鍵Ｃｋで暗号化し、Ｍ’とする。共通暗号鍵ＣｋでメッセージをＭ’にするのは時間がかからない。次に、共通暗号鍵Ｃｋを受信端末の暗号化鍵Ａｅ、Ｃｅで暗号化する。共通暗号鍵が短いので、公開暗号化鍵による暗号化には時間を要しない。このようにして、送信端末Ａは、共通暗号鍵Ｃｋで暗号化されたメッセージＭ’に、公開暗号鍵の暗号化鍵で暗号化した共通暗号鍵Ｃｋ’を添付して、受信端末Ｂ、Ｃに送る。この送信信号のフォーマットを図６に示す。これらは送られる途中で解読されることはない。」
を、明瞭でない記載の釈明を目的として、
「　【００２３】
　これらの準備が出来たところで、まず、メッセージＭを
共通鍵
共通鍵
共通鍵
共通鍵
共通鍵
され
と訂正する。
ｌ．特許明細書の
「　【００２４】
　受信端末Ｂ、Ｃは、送信端末Ａが送った信号を受信すると、まず、暗号化された共通暗号鍵Ｃｋ’を公開暗号鍵の復号化鍵で復号する。端末Ｂの場合ではＢｄで、端末Ｃの場合はＣｅで、Ｃｋ’を復号する。復号された共通暗号鍵Ｃｋを使って、共通暗号鍵で暗号化されたメッセージＭ’を復号し、Ｍを得る。復号されたメッセージＭは、直ちに、受信端末に設けられた暗号化ファイルに収納される。暗号化ファイルは、受信端末のメモリにソフト的に設けられたファイルで、端末個有の共通鍵あるいは公開暗号鍵で暗号化されたファイルである。共通暗号鍵の場合は送受信に使用される鍵と別のものであるが、公開暗号鍵の場合は、復号鍵と同一の場合もある。メッセージが暗号化ファイルに収納されると、送受信に使用された共通暗号鍵は廃棄される。共通暗号鍵は１回に送られるメッセージごとに更新され、古い鍵は廃棄される。」
を、明瞭でない記載の釈明を目的として、
「　【００２４】
　受信端末Ｂ、Ｃは、送信端末Ａが送った信号を受信すると、まず、暗号化された共通暗号鍵Ｃｋ’を公開暗号鍵の復号化鍵で復号する。端末Ｂの場合ではＢｄで、端末Ｃの場合はＣｅで、Ｃｋ’を復号する。復号された
共通鍵
共通鍵
共通鍵
共通鍵
共通鍵
と訂正する。
ｍ．特許明細書の
「　【００２６】
　抜けた端末は、共通暗号鍵を復号することができないので、メッセージを復号できない。共通暗号鍵は、送信単位ごとに変わるので、以前の共通暗号鍵で復号することもできない。グループに入っていない端末にとっても同様であり、通信を傍受しても、共通暗号鍵を求めるのは、ＲＳＡ暗号を破るのと同じだけ困難であるから、通常は不可能である。また、多くのメッセージの通信を傍受して、統計などから共通暗号鍵を推定することも、共通暗号鍵が送信ごとに異なるために不可能である。」
を、明瞭でない記載の釈明を目的として、
「　【００２６】
　抜けた端末は、共通暗号鍵を復号することができないので、メッセージを復号できない。
共通鍵
共通鍵
共通鍵
共通鍵
共通鍵
と訂正する。
ｎ．特許明細書の
「　【００２７】
　上記のように、本発明の実施の形態１では、移動通信ダイナミックセキュアグルーピング通信方式を、メッセージを送信単位に分割して、送信単位ごとに共通暗号鍵により暗号化し、共通暗号鍵を受信端末ごとの公開暗号化鍵で暗号化し、暗号化された送信単位のメッセージと複数の暗号化共通暗号鍵を組にして受信端末に同報送信する構成としたので、動的に変化する複数の移動通信端末のグループに対する通信のセキュリティを暗号によって確保することができる。」
を、明瞭でない記載の釈明を目的として、
「　【００２７】
　上記のように、本発明の実施の形態１では、移動通信ダイナミックセキュアグルーピング通信方式を、メッセージを送信単位に分割して、送信単位ごとに
共通鍵
共通鍵
共通暗号鍵
と訂正する。
ｏ．特許明細書の
「　【００２８】
　（実施の形態２）
　本発明の第２の実施の形態は、メッセージを送信単位に分割して、送信単位ごとに共通暗号鍵により暗号化し、共通暗号鍵を受信端末ごとの公開暗号化鍵で暗号化し、暗号化された送信単位のメッセージと複数の暗号化共通暗号鍵を組にして同報送信し、無線基地局と制御局を介してグループの複数の受信端末にメッセージを秘密に送信する移動通信ダイナミックセキュアグルーピング通信方式である。」
を、明瞭でない記載の釈明を目的として、
「　【００２８】
　（実施の形態２）
　本発明の第２の実施の形態は、メッセージを送信単位に分割して、送信単位ごとに
共通鍵
共通鍵
共通暗号鍵
と訂正する。
ｐ．特許明細書の
「　【００３１】
　図９は、実施の形態２の移動通信ダイナミックセキュアグルーピング通信方式において、送信端末から送られる送信信号フォーマットを示す図である。図９において、Ｃｋｂ’とＣｋｃ’は、公開鍵で暗号化された共通鍵であり、Ｍ’は共通鍵で暗号化されたメッセージである。」
を、明瞭でない記載の釈明を目的として、
「　【００３１】
　図９は、実施の形態２の移動通信ダイナミックセキュアグルーピング通信方式において、送信端末から送られる送信信号フォーマットを示す図である。図９において、Ｃｋｂ’とＣｋｃ’は、公開鍵で暗号化された
共通暗号鍵
と訂正する。
ｑ．特許明細書の
「　【００３２】
　以下、図７と図８と図９を参照しながら、本発明の第２の実施の形態の移動通信ダイナミックセキュアグルーピング通信方式における通信方法を説明する。いま、図７に示す端末Ａ、Ｂ、Ｃでグループを構成しているものとする。図８に示すように、端末Ａがメッセージを端末Ｂ、Ｃに送るとき、端末Ａは、端末Ｂ、Ｃを呼び出し、公開鍵を要求する。端末Ａの要求は、無線基地局３を制御する制御局１を介して、無線基地局３によって端末Ｂ、Ｃに送られる。呼出しを受けた端末Ｂ、Ｃは、公開鍵を端末Ａに送出する。端末Ａは、暗号化されたメッセージと共通鍵を１つのパケットとして端末Ｂ、Ｃに送り、回線を断とする。端末Ｂ、Ｃは、端末Ａから送られて来た暗号化された共通鍵を、それぞれの復号化鍵を使って復号し、復号した共通鍵を使ってメッセージを復号する。メッセージが受信出来ると、端末Ｂ、Ｃは受信出来た旨を制御局１に送り返す。受信が完了すると、制御局１は回線を断として通信を終了する。ここで、移動端末代理局２は、端末４のメッセージを一時的に記憶しておくところで、端末Ａがメッセージを送出した場合、このメッセージは制御局１を介して移動端末代理局２にも送られ、記憶される。この記憶内容は、各受信端末の受信応答が揃ったことによって消去される。もし、何らかの原因、例えば、無線回線状況悪化などで、一定時間（所定のメッセージ到達制限時間）に応答がない場合には、移動端末代理局２はメッセージを応答のない端末に再送する。」
を、明瞭でない記載の釈明を目的として、
「　【００３２】
　以下、図７と図８と図９を参照しながら、本発明の第２の実施の形態の移動通信ダイナミックセキュアグルーピング通信方式における通信方法を説明する。いま、図７に示す端末Ａ、Ｂ、Ｃでグループを構成しているものとする。図８に示すように、端末Ａがメッセージを端末Ｂ、Ｃに送るとき、端末Ａは、端末Ｂ、Ｃを呼び出し、公開鍵を要求する。端末Ａの要求は、無線基地局３を制御する制御局１を介して、無線基地局３によって端末Ｂ、Ｃに送られる。呼出しを受けた端末Ｂ、Ｃは、公開鍵を端末Ａに送出する。端末Ａは、暗号化されたメッセージと共通鍵を１つのパケットとして端末Ｂ、Ｃに送り、回線を断とする。端末Ｂ、Ｃは、端末Ａから送られて来た暗号化された
共通暗号鍵
と訂正する。
ｒ．特許明細書の
「　【００３５】
　図９（ａ）に、公開鍵で暗号化された共通鍵と、共通鍵で暗号化されたメッセージとを組にして送信端末から送られる送信信号フォーマットを示す。送信信号は、公開鍵で暗号化された受信端末Ｂ、Ｃへの共通鍵Ｃｋｂ’，Ｃｋｃ’と、共通鍵Ｃｋで暗号化されたメッセージとからなる。この信号が送信端末Ａから無線基地局３へ電波を介して送られる。無線基地局３で受信された信号は復調され、制御局１へ送られる。制御局１は、送信端末Ａから送られた、図９（ａ）の信号を、図９（ｂ）に示す受信端末Ｂ、Ｃ用信号フォーマットに変換する。受信端末Ｂへは、共通暗号鍵Ｃｋｂ’とメッセージＭ’を、受信端末Ｃへは、Ｃｋｃ’とＭ’を、それぞれ組とした信号フォーマットで送り出す。この信号は、無線基地局３でそれぞれ異なった周波数の高周波に変調され、電波となって端末Ｂ、端末Ｃに送られる。そして、それぞれの端末Ｂ、Ｃで受信、復調、復号されて、端末Ａのメッセージが端末Ｂ、Ｃに受けとられる。グループの相手受信端末が増えた場合は、信号フォーマットにおけるＣｋｂ’、Ｃｋｃ’の位置に、受信端末の暗号化された共通鍵が追加される。暗号化されたＭ’は共通なので増えることはない。」
を、明瞭でない記載の釈明を目的として、
「　　【００３５】
　図９（ａ）に、公開鍵で暗号化された
共通暗号鍵
共通暗号鍵
共通暗号鍵
共通暗号鍵
と訂正する。
ｓ．特許明細書の
「　　【００３６】
　ここでは、送信端末と各受信端末の使用チャンネル周波数が異なる自動車携帯電話のようなチャンネル構成のシステムの場合を説明したが、同一のチャンネルを使用する、いわゆる業務用無線などのシステムの場合は、制御局で暗号化された共通鍵とメッセージを組みかえ、端末ごとの信号フォーマットに変換する必要はなく、送信端末から送られた信号をそのまま受信端末に送信する。これにより変換の処理が軽減される。端末ごとに個別のチャンネル構成のシステムであっても変換しなくても信号は送れるが、必要のない信号が送られるだけ回線使用時間が長くなるので、信号フォーマット変換が行われる。」
を、明瞭でない記載の釈明を目的として、
「　　【００３６】
　ここでは、送信端末と各受信端末の使用チャンネル周波数が異なる自動車携帯電話のようなチャンネル構成のシステムの場合を説明したが、同一のチャンネルを使用する、いわゆる業務用無線などのシステムの場合は、制御局で暗号化された
共通暗号鍵
と訂正する。
ｔ．特許明細書の
「　　【００３７】
　上記のように、本発明の実施の形態２では、移動通信ダイナミックセキュアグルーピング通信方式を、メッセージを送信単位に分割して、送信単位ごとに共通暗号鍵により暗号化し、共通暗号鍵を受信端末ごとの公開暗号化鍵で暗号化し、暗号化された送信単位のメッセージと複数の暗号化共通暗号鍵を組にして同報送信し、無線基地局と制御局を介してグループの複数の受信端末にメッセージを秘密に送信する構成としたので、移動電話などにおける動的に変化する複数の移動通信端末のグループに対する通信のセキュリティを、グループ鍵を使わずに確保することができる。」
を、明瞭でない記載の釈明を目的として、
「　　【００３７】
　上記のように、本発明の実施の形態２では、移動通信ダイナミックセキュアグルーピング通信方式を、メッセージを送信単位に分割して、送信単位ごとに
共通鍵
共通鍵
共通暗号鍵
と訂正する。
ｕ．特許明細書の
「　　【００３８】
　　【発明の効果】
　以上説明したように、本発明では、ダイナミックセキュアグルーピング通信方式を、グループの各受信端末に送信するメッセージを送信単位に分割して、送信単位ごとに送信内容を共通暗号鍵により暗号化し、送信ごとにグループを構成する送信先端末を指定して共通暗号鍵を各受信端末の公開暗号方式の暗号化鍵で暗号化し、暗号化された１送信単位のメッセージとグループの各受信者の暗号化鍵で暗号化した共通暗号鍵を組にして同報送信し、共通暗号鍵を１つの暗号化メッセージ単位の送信ごとに更新する構成とし、複数の通信端末が送信ごとに送信先端末を指定して相互に送信受信を行うことでグループを形成するので、グループ鍵が不要になり、公開暗号鍵の復号化鍵のみを秘密に保管するだけで、動的に変化する複数の移動通信端末のグループに対する通信のセキュリティを確保できるという効果が得られる。」
を、明瞭でない記載の釈明を目的として、
「　　【００３８】
　　【発明の効果】
　以上説明したように、本発明では、ダイナミックセキュアグルーピング通信方式を、グループの各受信端末に送信するメッセージを送信単位に分割して、送信単位ごとに送信内容を
共通鍵
共通鍵
され
共通鍵
と訂正する。
（５４）【発明の名称】
移動通信ダイナミックセキュアグルーピング通信方式
（５７）【特許請求の範囲】
　　【請求項１】　複数の通信端末からなる移動通信ダイナミックセキュアグルーピング通信方式において、各通信端末は、送信メッセージを所定の長さのメッセージ単位に区切る手段と、前記メッセージ単位ごとに
共通鍵
共通鍵
され
共通鍵
　　【請求項２】　前記個別暗号化鍵として公開鍵方式の公開鍵を用いることを特徴とする請求項１記載の移動通信ダイナミックセキュアグループ通信方式。
　　【請求項３】　前記通信端末と無線により結ばれる無線基地局と、前記通信端末に送られる暗号化メッセージ単位と前記個別暗号化鍵で暗号化
され
　　【請求項４】　
共通鍵
共通鍵
共通鍵
共通鍵
され
共通鍵
　　　【請求項５】　受信したメッセージを端末個有の暗号鍵で暗号化して格納する暗号フォルダーを有することを特徴とする請求項４記載の移動無線端末。
【発明の詳細な説明】
　　　　【０００１】
　　【発明の属する技術分野】
　本発明は、移動通信ダイナミックセキュアグループ通信方式に関し、特に、動的に変化する複数の移動通信端末のグループに対する通信のセキュリティを暗号によって確保するダイナミックセキュアグルーピング通信方式に関する。
　　　【０００２】
　　【従来の技術】
　従来、移動通信端末を用いてグループ通信を行なう場合は、グループ暗号化鍵を使用して通信の秘密を確保していた。図１０のように、暗号通信を行う端末が、Ａ、Ｂ、Ｃ、Ｄと４台ある場合、グループ構成ごとに共通の鍵を有していた。図１０の場合、１対１の通信を除くと、グループ構成としては、ＡＢＣ、ＢＣＤ、ＣＤＡ、ＡＢＣＤの４つがあり、それぞれのグループ構成ごとに共通の鍵を有していた。つまり、ＡＢＣというグループ構成では、端末Ａ、Ｂ、Ｃがそれぞれ共通鍵として鍵ＫＡＢＣを持ち、ＢＣＤというグループ構成では、端末Ｂ、Ｃ、Ｄがそれぞれ共通鍵として鍵ＫＢＣＤを持つ。端末Ａは、ＫＡＢＣ、ＫＣＤＡ、ＫＡＢＣＤの３つのグループ鍵を持って管理している。端末Ｂ、Ｃ、Ｄも同じく、３つのグループ鍵を管理している。更に、端末が５台となる場合は、１１個のグループ鍵が存在し、各端末は、それぞれ８つの鍵を管理しなければならない。
　　　【０００３】
　　【発明が解決しようとする課題】
　このように、グループを構成する端末が増えると、グループ鍵の数は、構成端末の増加よりもはるかに激しく増加する。そして、この多くの鍵がグループを構成するグループ以外へ漏れることがないように管理することが必要である。同一の鍵を持った端末が複数台あるので、どれか１台からでも鍵の秘密が漏れると、そのグループの全ての端末に影響を与える。したがって、一対一の通信の場合より鍵の管理が重要になる。
共通鍵
　　　【０００４】
　また、新たにグループに端末が加わった場合、あるいは、グループから端末が抜けた場合、更には、グループから１度抜けた端末が再度グループに加わった場合のように、グループ構成端末が時々刻々変化するとき、鍵をいかに管理するかという問題がある。つまり、新たにグループに端末が加わった場合には、その端末に鍵を配布しなければならない。また、端末が抜けた場合、その端末に関連する鍵を全て廃棄しなければならない。１度抜けた端末を再度グループに加える場合、過去に使っていた鍵を使うのか、新たに作って配布するのかなどの問題がある。このようなことが時々刻々行われるので、従来の固定的に管理された鍵では、すばやく鍵を変更することが出来ないという問題があった。
　　　【０００５】
　本発明は、上記の問題を解決し、動的に変化する複数の移動通信端末のグループに対する通信のセキュリティを暗号によって確保するダイナミックセキュアグルーピング通信方式を実現することを目的とする。
　　　【０００６】
　　【課題を解決するための手段】
　上記の課題を解決するために、本発明では、ダイナミックセキュアグルーピング通信方式を、グループの各受信端末に送信するメッセージを送信単位に分割して、送信単位ごとに送信内容を
共通鍵
共通鍵
され
　　　【０００７】
　このように構成したことにより、動的に変化する複数の移動通信端末のグループに対する通信のセキュリティを、送信単位ごとに異なる
共通鍵
なお、グループの共通鍵と区別するために、グループの各受信者の暗号化鍵で暗号化された共通鍵を共通暗号鍵と呼ぶ。
　　　【０００８】
　　【発明の実施の形態】
　本発明の請求項１記載の発明は、複数の通信端末からなる移動通信ダイナミックセキュアグルーピング通信方式において、各通信端末は、送信メッセージを所定の長さのメッセージ単位に区切る手段と、前記メッセージ単位ごとに
共通鍵
共通鍵
され
共通鍵
共通鍵
　　　【０００９】
　本発明の請求項２記載の発明は、請求項１記載の移動通信ダイナミックセキュアグループ通信方式において、前記個別暗号化鍵として公開鍵方式の公開鍵を用いるものであり、個別暗号化鍵の配送を不要にするという作用を有する。
　　　【００１０】
　本発明の請求項３記載の発明は、請求項１記載の移動通信ダイナミックセキュアグループ通信方式において、前記通信端末と無線により結ばれる無線基地局と、前記通信端末に送られる暗号化メッセージ単位と前記個別暗号化鍵で暗号化
され
　　　　【００１１】
　本発明の請求項４記載の発明は、
共通鍵
共通鍵
共通鍵
され
共通鍵
共通鍵
　　　【００１２】
　本発明の請求項５記載の発明は、請求項４記載の移動無線端末において、受信したメッセージを端末個有の暗号鍵で暗号化して格納する暗号フォルダーを有するものであり、端末に記憶した受信メッセージの秘密を確保するという作用を有する。
　　　【００１３】
　以下、本発明の実施の形態について、図１〜図９を参照しながら詳細に説明する。
　　　【００１４】
　（実施の形態１）
　本発明の第１の実施の形態は、メッセージを送信単位に分割して、送信単位ごとに異なる
共通鍵
共通鍵
共通暗号鍵
　　　　【００１５】
　図１は、本発明の実施の形態１の移動通信ダイナミックセキュアグルーピング通信方式の概念を示した図である。図１において、Ａ、Ｂ、Ｃは通信端末であり、Ａ、Ｂ、Ｃでグループを構成している。図２は、実施の形態１の移動通信ダイナミックセキュアグルーピング通信方式における通信端末の加入と離脱の例を示した図である。図２において、Ａ、Ｂ、Ｃ、Ｄは通信端末であり、Ｄはグループに加入した端末であり、Ｂは離脱した端末である。図３は、図２に示した端末の加入と離脱をまとめて示した図である。
　　　　【００１６】
　多くの通信端末でグループを作って通信を行なうグループ通信であっても、短い時間で通信形態を見れば、１つの送信端末と複数の受信端末でグループが形成されている。したがって、グループ通信のメッセージを送信単位ごとに
共通鍵
共通鍵
　　　　【００１７】
　例として、端末が３台の場合である最小のグループを考える。端末Ａ、Ｂ、Ｃがグループを組んで、各端末相互にメッセージや信号のやりとりが行われている状態を、図１（ａ）に示す。ところで、端末相互の通信を短い時間単位に区切れば、図１（ｂ）に示すように、Ａという送信端末と、Ｂ、Ｃという受信端末との間の同報通信となる。ここで、矢印はメッセージの伝達方向を示し、矢印の元が送信端末、矢印の先が受信端末である。また、次のある時間では、図１（ｃ）に示すように、Ｂという送信端末と、Ａ、Ｃという受信端末との間の同報通信となる。図１（ｄ）のように、Ｃが送信端末となるときは、Ａ、Ｂは受信端末となる。この様にして、Ａ、Ｂ、Ｃ間のグループ通信が行われている。どれか１台の端末が送信を行なっているとき、他は受信状態になっている。つまり、グループ通信といえども、１台の送信端末と複数の受信端末という構成になる。
　　　【００１８】
　図２（ａ）は、端末Ａが端末Ｂ、Ｃの他に、新たな端末Ｄにメッセージを送る場合を示す図である。図２（ｂ）は、新たな端末Ｄが既存のグループに属する端末Ａ、Ｂ、Ｃにメッセージを送る状態である。また、図２（ｃ）は、Ａ、Ｂ、Ｃ、Ｄというグループ構成において、端末ＡがＢにメッセージを送らなかった場合であり、図２（ｄ）は、ＣがＢにメッセージを送らなかった場合である。図２（ｃ）の時点で、端末Ｂはグループからはずれたとみなされる。これは、Ｂ端末が自ら抜けた場合と、Ａ、Ｃが意図的にＢを抜かした場合とがある。これらの状態を長い時間で見れば、図３に示す図のようになる。Ａ、Ｂ、Ｃ、Ｄという端末があって、Ｂがグループから抜けたり、Ｄという端末がグループに加わったようになる。このグループは、グループを構成する端末が時々刻々変化するダイナミックグループであり、本発明はこのようなダイナミックグループで行われる同報通信を対象とするものである。このようにダイナミックグループ通信をとらえて、グループ構成端末を、１つの送信端末と複数の受信端末という関係で見て、送信端末を中心に考えたグループ通信の方法を示す。
　　　【００１９】
　以下、図４と図５を参照しながら、送信端末を中心とした暗号通信の方法を説明する。図４のように、送信端末Ａが受信端末Ｂ、Ｃにメッセージを送る場合、端末Ａ、Ｂ、Ｃにはそれぞれ公開鍵方式の暗号化鍵及び復号化鍵が割り当てられている。公開暗号鍵としては、ＲＳＡ暗号に代表されるような公開鍵を利用する。公開鍵の暗号化鍵は特に秘密にする必要はなく、必要とするところに公開されている。復号化鍵は、端末Ａ、Ｂ、Ｃが、暗号化されたメッセージを復号するときに使用する鍵で、それぞれ秘密に保持されている。復号化鍵は、暗号化鍵からは全くといって良いほど割り出されないため、復号化鍵を知らなければ、暗号化鍵で暗号化されたメッセージは復号することが出来ない。端末Ｂには、暗号化鍵としてＢｅ、復号化鍵としてＢｄが割り当てられており、端末Ｃ、Ａには、それぞれ、（Ｃｅ，Ｃｄ）、（Ａｅ，Ａｄ）が割り当てられている。本発明で述べる鍵やメッセージは、符号化された”０”と”１”のデジタル信号の列である。
　　　【００２０】
　図５に、端末Ａが送信端末となって、メッセージを端末Ｂ、端末Ｃに送る場合の手順を示す。送信端末Ａは、受信端末Ｂ、Ｃの公開鍵の暗号化鍵ＢｅとＣｅを、あらかじめ通信回線を介して、あるいは、その他の方法で入手する。これらの鍵は公開されていて、特に秘密にする必要はない。
　　　【００２１】
　次に、送信端末Ａは、送信するメッセージＭを作成する。メッセージＭの長さは、メッセージ単位の最大長以下であればよい。メッセージ単位の最大長を超える長さのメッセージを送る場合は、所定のメッセージ単位に区切ったものを１つのメッセージＭとする。もし、何らかの制約があって、メッセージＭの長さを一定とした場合には、長いメッセージを所定のメッセージ単位に区切ったものを１つのメッセージＭとする。メッセージ単位より短いメッセージの場合は、乱数などで残りを埋めて、所定長のメッセージＭにする。
　　　【００２２】
　次に、
共通鍵
共通鍵
共通鍵
共通鍵
　　　【００２３】
　これらの準備が出来たところで、まず、メッセージＭを
共通鍵
共通鍵
共通鍵
共通鍵
共通鍵
され
　　　【００２４】
　受信端末Ｂ、Ｃは、送信端末Ａが送った信号を受信すると、まず、暗号化された共通暗号鍵Ｃｋ’を公開暗号鍵の復号化鍵で復号する。端末Ｂの場合ではＢｄで、端末Ｃの場合はＣｅで、Ｃｋ’を復号する。復号された
共通鍵
共通鍵
共通鍵
共通鍵
共通鍵
　　　【００２５】
　以上、送信端末Ａ、受信端末Ｂ、Ｃとして説明したが、端末Ｂ、Ｃが送信端末となって、Ｃ、ＡあるいはＡ、Ｂが受信端末となる場合も同様である。このように、端末Ａ、Ｂ、Ｃが時間をずらして送信端末や受信端末となって、相互に暗号化されたメッセージと暗号化された鍵を送受信することによって通信を行う。グループに加わっている端末がグループから抜けた場合、送信端末は、抜けた端末の公開鍵の暗号化鍵を削除することにより、メッセージを抜けた端末へ送らないようにする。また、新たな端末がグループに加わった場合は、送信端末が新たに加わった端末の公開鍵の暗号化鍵を加え、メッセージを送る。このように、送信端末がメッセージを送る相手の公開鍵の暗号化鍵を加えるかどうかで、グループの端末が決まる。グループを構成するグループ共通のグループ鍵が存在しないので、グループの編成が自由かつ迅速に行われる。
　　　【００２６】
　抜けた端末は、共通暗号鍵を復号することができないので、メッセージを復号できない。
共通鍵
共通鍵
共通鍵
共通鍵
共通鍵
　　　【００２７】
　上記のように、本発明の実施の形態１では、移動通信ダイナミックセキュアグルーピング通信方式を、メッセージを送信単位に分割して、送信単位ごとに
共通鍵
共通鍵
共通暗号鍵
　　　【００２８】
　（実施の形態２）
　本発明の第２の実施の形態は、メッセージを送信単位に分割して、送信単位ごとに
共通鍵
共通鍵
共通暗号鍵
　　　【００２９】
　図７は、本発明の実施の形態２の移動通信ダイナミックセキュアグルーピング通信方式の構成図である。図７において、制御局１は、移動端末代理局２と無線基地局３を管理制御する局である。移動端末代理局２は、端末４のメッセージを一時的に記憶する局である。無線基地局３は、端末４のメッセージを基地局１を介して他の無線基地局に中継する局である。
　　　【００３０】
　図８は、実施の形態２の移動通信ダイナミックセキュアグルーピング通信方式における信号の流れを時間経過とともに示す図である。図８において、縦軸は上から下への時間の流れを示す軸であり、各縦線はそれぞれ代理局、制御局端末Ａ、端末Ｂ、端末Ｃを示している。斜めに引いた矢印は信号の流れを示しており、矢印の始点が送信端であり、矢印の終点（先端）が信号の到達点である。図８において（１）で示した部分は正常動作時のものであり、図８において（２）で示した部分は、端末Ｂから受信応答がなく、代理局が一時蓄えたメッセージを再送し、正常に受信されて完了した状態を示すものである。
　　　【００３１】
　図９は、実施の形態２の移動通信ダイナミックセキュアグルーピング通信方式において、送信端末から送られる送信信号フォーマットを示す図である。図９において、Ｃｋｂ’とＣｋｃ’は、公開鍵で暗号化された
共通暗号鍵
　　　【００３２】
　以下、図７と図８と図９を参照しながら、本発明の第２の実施の形態の移動通信ダイナミックセキュアグルーピング通信方式における通信方法を説明する。いま、図７に示す端末Ａ、Ｂ、Ｃでグループを構成しているものとする。図８に示すように、端末Ａがメッセージを端末Ｂ、Ｃに送るとき、端末Ａは、端末Ｂ、Ｃを呼び出し、公開鍵を要求する。端末Ａの要求は、無線基地局３を制御する制御局１を介して、無線基地局３によって端末Ｂ、Ｃに送られる。呼出しを受けた端末Ｂ、Ｃは、公開鍵を端末Ａに送出する。端末Ａは、暗号化されたメッセージと共通鍵を１つのパケットとして端末Ｂ、Ｃに送り、回線を断とする。端末Ｂ、Ｃは、端末Ａから送られて来た暗号化された
共通暗号鍵
　　　【００３３】
　以上、端末Ａが送信する場合について説明したが、端末Ｂ、Ｃがそれぞれ送信する場合も同様の動作を行なう。このように、それぞれの端末が送信端末、受信端末となってグループ通信が行われる。
　　　【００３４】
　公開鍵の暗号化鍵を公開することを前提として説明したが、公開鍵の暗号化鍵を限られたグループだけに公開することによって、更に別のグループを構成することが出来る。限られたグループ内で本発明のグループ構成が有効なのはいうまでもない。
　　　【００３５】
　図９（ａ）に、公開鍵で暗号化された
共通暗号鍵
共通暗号鍵
共通暗号鍵
共通暗号鍵
　　　【００３６】
　ここでは、送信端末と各受信端末の使用チャンネル周波数が異なる自動車携帯電話のようなチャンネル構成のシステムの場合を説明したが、同一のチャンネルを使用する、いわゆる業務用無線などのシステムの場合は、制御局で暗号化された
共通暗号鍵
　　　【００３７】
　上記のように、本発明の実施の形態２では、移動通信ダイナミックセキュアグルーピング通信方式を、メッセージを送信単位に分割して、送信単位ごとに
共通鍵
共通鍵
共通暗号鍵
　　　【００３８】
　　【発明の効果】
　以上説明したように、本発明では、ダイナミックセキュアグルーピング通信方式を、グループの各受信端末に送信するメッセージを送信単位に分割して、送信単位ごとに送信内容を
共通鍵
共通鍵
され
共通鍵
【図面の簡単な説明】
　　【図１】
　本発明の実施の形態１の移動通信ダイナミックセキュアグルーピング通信方式の概念を示す図、
　　　【図２】
　本発明の実施の形態１における端末の加入と離脱の様子を示す図、
　　【図３】
　本発明の実施の形態１における端末の加入と離脱の状態を示す図、
　　【図４】
　本発明の実施の形態１において、送信端末Ａが受信端末Ｂ、Ｃにメッセージを送る場合の公開鍵方式の暗号化鍵及び復号化鍵の割当てを示す図、
　　【図５】
　本発明の実施の形態１における暗号化と復号化の手順を示すフロー図、
　　【図６】
　本発明の実施の形態１の送信信号フォーマットを示す図、
　　【図７】
　本発明の実施の形態２の移動通信ダイナミックセキュアグルーピング通信方式の構成を示す図、
　　【図８】
　本発明の実施の形態２の各構成要素間の信号の流れを示すフロー図、
　　【図９】
　本発明の実施の形態２の送信信号フォーマットと受信信号フォーマットを示す図、
　　【図１０】
　従来のグループ通信方式を示す図である。
　　【符号の説明】
１　制御局
２　移動端末代理局
３　無線基地局
４　端末